(57)【要約】【課題】省電力化を図りつつアプリケーションに応じて適切な表示、視認性を確保する。【解決手段】ステップＳ３の判断がＮＯである場合、つまり周囲に人を認識できるが、周囲は暗い場合は、例えばユーザ等が就寝している暗い寝室にＤＰＦが配置されている場合が想定される。この場合には、現在動作しているアプリケーションは、設定でバックライト「ＯＮ」となっているか否かを判断する（ステップＳ４）。「ＯＮ」となっている場合には、バックライト３２をオン状態に維持する（ステップＳ５）。このとき、ＤＰＦが例えばユーザ等が就寝している暗い寝室に配置されているとすると、当該寝室でユーザは、何時でも表示部に表示されている現在時刻を確認することができる。したがって、ステップＳ２でのバックライトオフ処理により省電力化を図りつつ、ステップＳ５でのバックライトオン処理により、アプリケーションに応じて適切に表示を確保することができる。【選択図】図４
2012123285.tif 000002
【特許請求の範囲】
【請求項１】
周囲の明るさを検出する第１のセンサと、
バックライトを備える表示パネルと、
複数のアプリケーションを記憶するとともに、明るさに応じて各アプリケーションを動作させるか否かの動作情報を記憶する記憶回路と、
前記第１のセンサにより検出された周囲の明るさが閾値以下であるか否かを判断する第１の判断回路と、
この第１の判断回路により、周囲の明るさが閾値以下であると判断された場合において、現在実行中のアプリケーションに対応した前記動作情報により周囲の明るさが閾値以下でも動作させることを示す動作情報が前記記憶回路に記憶されているか、或いは、現在実行中のアプリケーションに対応した前記動作情報により周囲の明るさが閾値以下では動作させないことを示す動作情報が前記記憶回路に記憶されているか、を判断する第２の判断回路と、
この第２の判断回路により、前記現在実行中のアプリケーションに対応して、周囲の明るさが閾値以下でも動作させることを示す動作情報が前記記憶回路に記憶されていると判断された場合には前記バックライトを点灯状態に維持し、前記現在実行中のアプリケーションに対応して、周囲の明るさが閾値以下では動作させないことを示す動作情報が前記記憶回路に記憶されていると判断された場合には前記バックライトを消灯するバックライト制御回路と、
を備えることを特徴とする画像表示装置。
【請求項２】
周囲における人の存在を検出して信号を出力する第２のセンサと、
前記第２のセンサからの出力信号に基づき、周囲に人が存在するか否かを判断する第３の判断回路と、を更に備え、
前記バックライト制御回路は、前記第３の判断回路により周囲に人が存在しないと判断された場合には、前記バックライトを消灯することを特徴とする請求項１記載の画像表示装置。
【請求項３】
前記バックライト制御回路は、前記第３の判断回路により周囲に人が存在すると判断された場合であって、前記第２の判断回路により、前記現在実行中のアプリケーションに対応した前記動作情報により周囲の明るさが閾値以下でも動作させることを示す動作情報が前記記憶回路に記憶されていた場合には前記バックライトを点灯状態に維持し、前記現在実行中のアプリケーションに対応した前記動作情報により周囲の明るさが閾値以下では動作させないことを示す動作情報が前記記憶回路に記憶されていた場合には前記バックライトを消灯することを特徴とする請求項２記載の画像表示装置。
【請求項４】
前記第１のセンサは照度センサであり、前記閾値は５ｌｘであることを特徴とする請求項１乃至３のいずれか一項に記載の画像表示装置。
【請求項５】
周囲の明るさを検出する第１のセンサと、バックライトとを備える表示パネルと、複数のアプリケーションを記憶するとともに、明るさに応じて各アプリケーションを動作させるか否かの動作情報を記憶する記憶回路とを備える画像表示装置における画像表示方法であって、
前記第１のセンサにより検出された周囲の明るさが閾値以下であるか否かを判断する第１の判断ステップと、
この第１の判断ステップにより、周囲の明るさが閾値以下であると判断された場合において、現在実行中のアプリケーションに対応した前記動作情報により周囲の明るさが閾値以下でも動作させることを示す動作情報が前記記憶回路に記憶されているか、或いは、現在実行中のアプリケーションに対応した前記動作情報により周囲の明るさが閾値以下では動作させないことを示す動作情報が前記記憶回路に記憶されているか、を判断する第２の判断ステップと、
この第２の判断ステップにより、前記現在実行中のアプリケーションに対応して、周囲の明るさが閾値以下でも動作させることを示す動作情報が前記記憶回路に記憶されていると判断された場合には前記バックライトを点灯状態に維持し、前記現在実行中のアプリケーションに対応して、周囲の明るさが閾値以下では動作させないことを示す動作情報がた前記記憶回路に記憶されていると判断された場合には前記バックライトを消灯するバックライト制御ステップと、
を含むことを特徴とする画像表示方法。
【発明の詳細な説明】
【技術分野】
【０００１】
本発明は、画像表示装置及び画像表示方法に関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。
【０００３】
このような状況において、画像データでも従来のプリント写真と同様の楽しみ方ができるようにするため、いわゆるデジタルフォトフレームが実現され普及している（例えば、特許文献１）。デジタルフォトフレームは、その名が示すようにフォトフレームとしての機能をデジタル技術により実現するものであり、デジタル画像データに基づきバックライトを有する液晶表示パネルに、画像を表示させることが主たる機能である。
【０００４】
しかし、恒常的に液晶表示パネルのバックライトを点灯させておくと、無用に電力が消費されてしまう。そこで、例えば特許文献２記載の技術を利用することにより、周囲が暗く液晶表示パネルに表示されている画像を観賞する者がいないであろう環境下においては、バックライトをオフにすることにより消費電力の低減を図ることが考えられている。
【先行技術文献】
【特許文献】
【０００５】
【特許文献１】特開２００９−１４１６７８号公報
【特許文献２】特開２００７−１７４１４７号公報
【発明の概要】
【発明が解決しようとする課題】
【０００６】
前述のように、デジタルフォトフレームは、デジタル画像データに基づき液晶表示パネルに、画像を表示させることが主たる機能であるが、より多機能化すべく、複数のアプリケーション、例えば時計表示を行うアプリケーション、天気予報表示を行うアプリケーション、画像油絵調、水彩画調、パステル画調・・・など多数の画調に変換するアプリケーション等が搭載されつつある。したがって、前記特許文献２の技術をそのまま採用して、周囲が暗い環境下では液晶表示パネルのバックライトをオフにすると、例えば時計表示を行うアプリケーションにより液晶表示パネルに時刻表示を行っても、夜間に時刻表示を視認することができなくなってしまう場合が生ずる。
【０００７】
本発明は、このような実情に鑑みなされたものであり、省電力化を図りつつアプリケーションに応じて適切に表示を行って視認性を確保することのできる画像表示装置及び画像表示方法を提供することを目的とする。
【課題を解決するための手段】
【０００８】
前記課題を解決するため、請求項１記載の発明に係る画像表示装置にあっては、周囲の明るさを検出する第１のセンサと、バックライトを備える表示パネルと、複数のアプリケーションを記憶するとともに、明るさに応じて各アプリケーションを動作させるか否かの動作情報を記憶する記憶回路と、前記第１のセンサにより検出された周囲の明るさが閾値以下であるか否かを判断する第１の判断回路と、この第１の判断回路により、周囲の明るさが閾値以下であると判断された場合において、現在実行中のアプリケーションに対応した前記動作情報により周囲の明るさが閾値以下でも動作させることを示す動作情報が前記記憶回路に記憶されているか、或いは、現在実行中のアプリケーションに対応した前記動作情報により周囲の明るさが閾値以下では動作させないことを示す動作情報が前記記憶回路に記憶されているか、を判断する第２の判断回路と、この第２の判断回路により、前記現在実行中のアプリケーションに対応して、周囲の明るさが閾値以下でも動作させることを示す動作情報が前記記憶回路に記憶されていると判断された場合には前記バックライトを点灯状態に維持し、前記現在実行中のアプリケーションに対応して、周囲の明るさが閾値以下では動作させないことを示す動作情報が前記記憶回路に記憶されていると判断された場合には前記バックライトを消灯するバックライト制御回路と、を備えることを特徴とする。
【０００９】
また、請求項２記載の発明に係る画像表示装置にあっては、周囲における人の存在を検出して信号を出力する第２のセンサと、前記第２のセンサからの出力信号に基づき、周囲に人が存在するか否かを判断する第３の判断回路と、を更に備え、前記バックライト制御回路は、前記第３の判断回路により周囲に人が存在しないと判断された場合には、前記バックライトを消灯することを特徴とする。
【００１０】
また、請求項３記載の発明に係る画像表示装置にあっては、前記バックライト制御回路は、前記第３の判断回路により周囲に人が存在すると判断された場合であって、前記第２の判断回路により、前記現在実行中のアプリケーションに対応した前記動作情報により周囲の明るさが閾値以下でも動作させることを示す動作情報が前記記憶回路に記憶されていた場合には前記バックライトを点灯状態に維持し、前記現在実行中のアプリケーションに対応した前記動作情報により周囲の明るさが閾値以下では動作させないことを示す動作情報が前記記憶回路に記憶されていた場合には前記バックライトを消灯することを特徴とする。
【００１１】
また、請求項４記載の発明に係る画像表示装置にあっては、前記第１のセンサは照度センサであり、前記閾値は５ｌｘであることを特徴とする。
【００１２】
また、請求項５記載の発明に係る画像表示方法にあっては、周囲の明るさを検出する第１のセンサと、バックライトとを備える表示パネルと、複数のアプリケーションを記憶するとともに、明るさに応じて各アプリケーションを動作させるか否かの動作情報を記憶する記憶回路とを備える画像表示装置における画像表示方法であって、前記第１のセンサにより検出された周囲の明るさが閾値以下であるか否かを判断する第１の判断ステップと、この第１の判断ステップにより、周囲の明るさが閾値以下であると判断された場合において、現在実行中のアプリケーションに対応した前記動作情報により周囲の明るさが閾値以下でも動作させることを示す動作情報が前記記憶回路に記憶されているか、或いは、現在実行中のアプリケーションに対応した前記動作情報により周囲の明るさが閾値以下では動作させないことを示す動作情報が前記記憶回路に記憶されているか、を判断する第２の判断ステップと、この第２の判断ステップにより、前記現在実行中のアプリケーションに対応して、周囲の明るさが閾値以下でも動作させることを示す動作情報が前記記憶回路に記憶されていると判断された場合には前記バックライトを点灯状態に維持し、前記現在実行中のアプリケーションに対応して、周囲の明るさが閾値以下では動作させないことを示す動作情報がた前記記憶回路に記憶されていると判断された場合には前記バックライトを消灯するバックライト制御ステップと、を含むことを特徴とする。
【発明の効果】
【００１３】
本発明によれば、省電力化を図りつつアプリケーションに応じて適切に表示を行って視認性を確保することができる。
【図面の簡単な説明】
【００１４】
【図１】本発明の実施形態に係るデジタルフォトフレームの外観を示す図である。
【図２】デジタルフォトフレームの回路構成を示すブロック図である。
【図３】バックライト設定テーブルを示す図である。
【図４】本実施の形態における処理手順を示すフローチャートである。
【発明を実施するための形態】
【００１５】
以下、本発明の実施形態について説明する。
図１は、本発明の一実施の形態に係る画像表示装置としてのデジタルフォトフレーム（以下、ＤＰＦという）１を示す外観図である。
【００１６】
ＤＰＦ１の正面には、本体２に保持された液晶表示パネル等によって構成される表示部３が設けられている。この表示部３には透明のタッチパネル５が一体的に構成されており、表示部３に表示される画像に対するタッチを検出可能である。本体２の前面左側には、照度センサ（以下、明るさセンサという）４が設けられ、下面にはメモリカードスロット６が設けられている。更に、本体側部にＧＰＳアンテナ７、前面右側に人感センサ８が設けられている。
【００１７】
図３は、ＤＰＦ１の電気的構成を示したブロック図である。ＤＰＦ１は、ＣＰＵ（Ｃｅｎｔｒａｌ  Ｐｒｏｃｅｓｓｉｎｇ  Ｕｎｉｔ）１１と、ＣＰＵ１１に接続されたＲＯＭ（Ｒｅａｄ  Ｏｎｌｙ  Ｍｅｍｏｒｙ）１２、ＲＡＭ（Ｒａｎｄｏｍ  Ａｃｃｅｓｓ  ｍｅｍｏｒｙ）１３、内部メモリ１４を備え、ＲＯＭ１２には、ＣＰＵ１１に後述するフローチャートに示す動作等を行わせるためのプログラムが記憶されている。
【００１８】
ＲＡＭ１３は、ＣＰＵ１１が必要に応じて種々のデータを一時的に記憶する作業用のメモリである。内部メモリ１４は、ハードディスク又はフラッシュメモリによる大容量不揮発性メモリであり、多数の画像やアプリケーションを保存可能となっている。
【００１９】
前記表示部３は、液晶パネル３１と該液晶パネル３１の背面側に配置されたバックライト３２とで構成されている。表示制御部１６は、ＣＰＵ１１から供給される表示用の画像データに基づいて液晶パネル３１を駆動するとともに、バックライト３２を点灯させることにより、画像や各種メニューを表示部３に表示させる。キー入力制御部１７は、ＣＰＵ１１の制御に基づいてタッチパネル５の操作信号を入力するものである。
【００２０】
メモリカードインターフェース１８は、メモリカードスロット６に着脱自在に装着された各種のメモリカード６０と、ＣＰＵ１１との間におけるデータの入出力を制御する入出力インターフェースである。ＧＰＳ制御部２０は、ＧＰＳアンテナ７で受信した情報を元に位置情報を取得する。これにより、ＤＰＦ１の現在位置を知ることができる。
【００２１】
前記明るさセンサ４と人感センサ８はＣＰＵ１１に接続され、明るさセンサ４は周囲の明るさを検出するものであり、人感センサ８は近くに人がいるかどうかを検知するものである。
【００２２】
通信制御部９０は、電話回線９１若しくは無線ＬＡＮ９２を経由してメールの送受信を含む通信制御を行う。アドレス帳９３は、メール送受信に使用するアドレスを記憶し、実際は内部メモリ１４内に設けられる。
【００２３】
バックアップサーバ４０は、ネットワークを介して接続され、自動的に若しくは手動指示により内部メモリ１４に記録されたデータのバックアップを行う。配信コンテンツサーバ５０は、ネットワークを介してＤＰＦ１へデータを配信することができる。パーソナルコンピュータ７０は、無線ＬＡＮ９２等で通信制御部９０を介してＤＰＦ１と接続でき、ＤＰＦ１では設定できない複雑な設定等をすることができる。
【００２４】
電源制御部８０は、電源プラグ８１を介してＡＣ電源を取り入れ、直流に変換して各部に電力を供給する。
【００２５】
図３は、内部メモリ１４に格納されているバックライト設定テーブル１４１を示す図である。バックライト設定テーブル１４１には、複数の「アプリケーション名」欄と「バックライト設定」欄とが対応して設けられている。「アプリケーション名」欄には、Ａ、Ｂ、Ｃ・・・等のアプリケーション名が記憶されている。「バックライト設定」欄には、「ＯＮ」又は「ＯＦＦ」が記憶されている。
【００２６】
この「バックライト設定」欄に記憶されている「ＯＮ」は、対応するアプリケーションが実行されているときに、明るさセンサ４で検出された周囲の明るさが閾値（所定）未満である「暗い」環境下でもバックライト３２をオンにして、ＣＰＵ１１のアプリケーションの実行に伴う表示を表示部３で行うことを意味する。また「ＯＦＦ」は、対応するアプリケーションが実行されているときに、明るさセンサ４で検出された周囲の明るさが閾値（所定）未満である「暗い」環境下である場合には、バックライト３２をオフにして、表示部３での表示を行わないことを意味する。この閾値としては、例えば５ｌｘ程度が好ましいが、任意に設定できるようにしても良い。
【００２７】
次に、以上の構成に係る本実施の形態の動作について説明する。電源がオンとなっている状態において、ＣＰＵ１１はＲＯＭ１２に格納されているプログラムに従い、図４のフローチャートに示すように処理を実行する。すなわち、人感センサ８からの検出信号に基づき周囲に人がいることを認識できるか否かを判断する（ステップＳ１）。周囲に人がいることを認識できない場合には、表示部３のバックライト３２をオフにする（ステップＳ２）。
【００２８】
したがって、ＤＰＦ１の周囲に人がおらず、表示部３に表示されている画像等を観賞している者がいない場合には、表示部３のバックライト３２がオフにされる。これにより、無用な電力消費を防止して、ＤＰＦ１の省電力化を図ることができる。
【００２９】
また、周囲に人がいることを認識できた場合には、明るさセンサ４の検出した明るさが所定未満であることにより、周囲が暗いと認識できたか否かを判断する（ステップＳ３）。この判断がＮＯである場合、つまり周囲に人を認識でき、かつ周囲が明るい場合には、明るい部屋においてユーザ等が表示部３に表示されている画像を観賞していることが想定される。したがって、この場合には、ステップＳ３からステップＳ５に進んで、バックライト３２をオン状態に維持する。バックライト３２がオン状態に維持されることにより、液晶表示パネル３１に表示される画像を外部から視認することが可能となり、ユーザ等は表示部３にて画像を観賞することができる
【００３０】
他方、ステップＳ３の判断がＹＥＳである場合、つまり周囲に人を認識できるが、周囲は暗い場合は、例えばユーザ等が就寝している暗い寝室にＤＰＦ１が配置されている場合が想定される。この場合には、ステップＳ３からステップＳ４に進んで、現在動作しているアプリケーションは、設定でバックライト「ＯＮ」となっているか否かを判断する。
【００３１】
つまり、現在ＣＰＵ１１が実行しているアプリケーションのアプリケーション名をバックライト設定テーブル１４１の「アプリケーション名」欄にて検索し、「バックライト設定」欄に「ＯＮ」が記憶されているか否かを判断する。「ＯＮ」が記憶されている場合には、バックライト３２をオン状態に維持する（ステップＳ５）。
【００３２】
例えば、現在ＣＰＵ１１が実行しているアプリケーションが、表示部３に時計の長針と短針及び文字盤を表示して、アナログ時刻表示を行うアナログ時刻表示アプリケーションであり、このアナログ時刻表示アプリケーションの「バックライト設定」が「ＯＮ」となっているとすると、バックライト３２をオンの状態に維持する。このとき、前述のように、ＤＰＦ１が例えばユーザ等が就寝している暗い寝室に配置されているとすると、当該寝室でユーザは、何時でも表示部３に表示されている現在時刻を確認することができる。
【００３３】
また、例えば、現在ＣＰＵ１１が実行しているアプリケーションが、表示部３に画像をスライドショー表示させるスライドショーアプリケーションであり、このスライドショーアプリケーションの「バックライト設定」が「ＯＦＦ」となっているとすると、ステップＳ４からステップＳ２に戻って、バックライト３２をオフにする。
【００３４】
つまり、前述のように、ＤＰＦ１が例えばユーザ等の寝室に配置されているとすると、寝室が暗く（ステップＳ３；ＹＥＳ）、ユーザ等が就寝している状況下でスライドショー表示を行うことは無意味である。したがって、この場合には、スライドショーアプリケーションに対応する「バックライト設定」に「ＯＦＦ」を記憶させておくことにより、無用なスライドショー表示が回避される。
【００３５】
したがって、ステップＳ２でのバックライトオフ処理により省電力化を図りつつ、ステップＳ５でのバックライトオン処理により、アプリケーションに応じて適切に表示を行って視認性を確保することができる。
【００３６】
そして、ステップＳ２又はステップＳ５の何れかに続くステップＳ６で、電源オン状態が維持されているか否かを判断する。電源オン状態が維持されている限り、ステップＳ５１からの処理を繰り返し、電源オフとなった時点でこのフローチャートに従った処理を終了する。
【００３７】
なお、本実施の形態においては、ＤＰＦ１に本発明を適用した場合を示したが、これに限ることなくパーソナルコンピュータ等、バックライトを備えた表示部を有する装置であれば、他の措置にも適宜適用することができる。
【００３８】
なお、本実施の形態においては、バックライトを備えた液晶表示パネルを示したが、液晶表示パネルに限らず、照明を備えた表示装置であればよい。
【符号の説明】
【００３９】
１    ＤＰＦ
２    本体
３    表示部
４    明るさセンサ
８    人感センサ
１１    ＣＰＵ
１２    ＲＯＭ
１３    ＲＡＭ
１４    内部メモリ
１６    表示制御部
１７    キー入力制御部
１８    メモリカードインターフェース
２０    ＧＰＳ制御部
３１    液晶パネル
３１    液晶表示パネル
３２    バックライト
５０    配信コンテンツサーバ
６０    メモリカード
７０    パーソナルコンピュータ
８０    電源制御部
１４１    バックライト設定テーブル
【図１】
2012123285.tif 000003
【図２】
2012123285.tif 000004
【図３】
2012123285.tif 000005
【図４】
2012123285.tif 000006